(57)【要約】【課題】ケース内部に飛び込んだ静電気によりケース内部の電気部品が悪影響を受けることがないように、ケース嵌合部からの静電気の飛び込みを抑制することができる携帯端末装置を提供する。【解決手段】フロントケース１８とリアケース１９とが結合されて構成される筐体と、筐体の内部に収納されて配置されるＬＣＤ用基板２２と、筐体内の外周側に配置されて、ＬＣＤ用基板２２に接続されるＬＣＤ用ＦＰＣ２７と、を有し、筐体は、外周部位にフロントケース１８とリアケース１９とが互いに結合する結合部位Ａを有して構成され、結合部位Ａは、筐体内部の外周側に配置されるＬＣＤ用ＦＰＣ２７に対向する凹部２９ａと凸部３０ａの結合沿面距離が他の凸部２９ｂ，２９ｃと凸部３０ｂ，３０ｃの結合沿面距離よりも長く構成されている。【選択図】図２
2008182607.tif 000002
【特許請求の範囲】
【請求項１】
第１ケースと第２ケースとが結合されて構成される筐体と、
前記筐体の内部に収納されて配置される回路基板と、
前記筐体内の外周側に配置されて、前記回路基板に接続される接続部材と、を有し、
前記筐体は、外周部位に前記第１ケースと前記第２ケースとが互いに結合する結合部位を有して構成され、
前記結合部位は、前記筐体内部の外周側に配置される前記接続部材に対向する第１結合部位の結合沿面距離が他の第２結合部位の結合沿面距離よりも長く構成されている
ことを特徴とする携帯端末装置。
【請求項２】
前記第１結合部位は、前記第１ケースと前記第２ケースとの一方に形成されて前記筐体内部側又は外部側の一方に突出する突出部と、前記第１ケースと前記第２ケースとの他方に前記筐体内部側又は外部側の前記一方に窪んで形成されて前記突出部が嵌合される嵌合凹部とを有して、前記突出部と前記嵌合凹部との係合により前記第１ケースと前記第２ケースとを結合させることを特徴とする請求項１に記載の携帯端末装置。
【請求項３】
前記第１結合部位は、前記接続部材が対向する前記筐体外周の全域に亘って配設されることを特徴とする請求項１または２に記載の携帯端末装置。
【請求項４】
前記筐体内で前記回路基板に対向して配置される金属フレーム部材を備え、前記金属フレーム部材は、前記第１結合部位と前記回路基板との間に位置される壁部を有することを特徴とする請求項１から３のいずれか一項に記載の携帯端末装置。
【請求項５】
前記第１結合部位は、前記回路基板及び前記接続部材の筐体厚さ方向高さよりも高く形成されたリブ部を有することを特徴とする請求項１から４のいずれか一項に記載の携帯端末装置。
【発明の詳細な説明】
【技術分野】
【０００１】
この発明は、筐体内部に収納された電子部品が静電気の影響を受けないように、筐体内部に進入する静電気への対策を講じた携帯端末装置に関する。
【背景技術】
【０００２】
従来、筐体内部に電子部品が収納された携帯端末装置として、例えば、「表示モジュールおよび携帯端末装置」（特許文献１参照）が知られている。
この「表示モジュールおよび携帯端末装置」においては、２つのケース（フロントケース、リアケース）が結合されることにより構成される筐体内部に表示ユニットが収納される携帯端末装置であって、筐体内部に進入する静電気への対策として、表示器を保持するフレームに静電気を飛び込ませてアースに流し込む構成が開示されている。
【０００３】
このような対策を講じるのは、ケースの結合部分からケース内部に進入した静電気が、直接、ケース内部の基板や表示器（Ｌｉｑｕｉｄ  Ｃｒｙｓｔａｌ  Ｄｉｓｐｌａｙ：ＬＣＤ）等の電子部品へ飛ぶことにより、電子部品の誤動作或いはデバイス破壊等を引き起こすためである。
【特許文献１】特開２００５−２６０４２９号公報
【発明の開示】
【発明が解決しようとする課題】
【０００４】
しかしながら、従来の「表示モジュールおよび携帯端末装置」の場合、静電気対策として、アースに導通されたフレームに静電気を飛び込ませるので、ある程度の対策効果は得られるが、十分ではなかった。特に、ケース結合部の近傍にフレキシブルプリント配線板（Ｆｌｅｘｉｂｌｅ  Ｐｒｉｎｔｅｄ  Ｃｉｒｃｕｉｔ：ＦＰＣ）やケーブルコネクタ等、静電気の影響を受け易い部材が配設された場合、アースに導通されたフレームを配置するのみでは静電気対策が十分でなく、筐体内の表示器や他の電子部品が静電気による悪影響を受けてしまうことが避けられなかった。
この発明の目的は、ケース内部に飛び込んだ静電気によりケース内部の電気部品が悪影響を受けることがないように、ケース結合部からの静電気の飛び込みを抑制することができる携帯端末装置を提供することである。
【課題を解決するための手段】
【０００５】
上記目的を達成するため、この発明に係る携帯端末装置は、第１ケースと第２ケースとが結合されて構成される筐体と、前記筐体の内部に収納されて配置される回路基板と、前記筐体内の外周側に配置されて、前記回路基板に接続される接続部材と、を有し、前記筐体は、外周部位に前記第１ケースと前記第２ケースとが互いに結合する結合部位を有して構成され、前記結合部位は、前記筐体内部の外周側に配置される前記接続部材に対向する第１結合部位の結合沿面距離が他の第２結合部位の結合沿面距離よりも長く構成されていることを特徴としている。
【０００６】
また、この発明は、前記第１結合部位は、前記第１ケースと前記第２ケースとの一方に形成されて前記筐体内部側又は外部側の一方に突出する突出部と、前記第１ケースと前記第２ケースとの他方に前記筐体内部側又は外部側の前記一方に窪んで形成されて前記突出部が嵌合される嵌合凹部とを有して、前記突出部と前記嵌合凹部との係合により前記第１ケースと前記第２ケースとを結合させることが好ましい。
【０００７】
また、この発明は、前記第１結合部位は、前記接続部材が対向する前記筐体外周の全域に亘って配設されることが好ましい。
また、この発明は、前記筐体内で前記回路基板に対向して配置される金属フレーム部材を備え、前記金属フレーム部材は、前記第１結合部位と前記回路基板との間に位置される壁部を有することが好ましい。
また、この発明は、前記第１結合部位は、前記回路基板及び前記接続部材の筐体厚さ方向高さよりも高く形成されたリブ部を有することが好ましい。
【発明の効果】
【０００８】
この発明によれば、ケース結合部からの静電気の飛び込みを抑制することができるので、ケース内部に飛び込んだ静電気によりケース内部の電気部品が悪影響を受けることがない。
【発明を実施するための最良の形態】
【０００９】
以下、この発明を実施するための最良の形態について図面を参照して説明する。
図１は、この発明の一実施の形態に係る携帯端末装置の一例である携帯電話機の開状態を示し、（ａ）はメイン表示器側の斜視図、（ｂ）はサブ表示器側の斜視図である。図１に示すように、携帯端末装置の一例である携帯電話機１０は、表示器側筐体１１とキー側筐体１２が、表示器側筐体１１の一端部に設けられたヒンジ部１３を介して相互回動自在に取り付けられた折り畳み構造を有しており、キー操作時等に、表示器側筐体１１とキー側筐体１２が互いに離反した開状態にすることができる。
【００１０】
表示器側筐体１１の表示面側には、メイン液晶表示器（Ｌｉｑｕｉｄ  Ｃｒｙｓｔａｌ  Ｄｉｓｐｌａｙ：ＬＣＤ）１４（（ａ）参照）が、その裏面側には、サブ液晶表示器１５の表示窓１９ａ（（ｂ）参照）が、それぞれ装着されている。なお、メイン液晶表示器１４及びサブ液晶表示器１５は、ＬＣＤ以外に有機ＥＬ（Ｅｌｅｃｔｒｏ−Ｌｕｍｉｎｅｓｃｅｎｃｅ）等の他の表示器により構成されても良い。キー側筐体１２の操作面側には、複数の操作キーを配置したキー操作部１６（（ａ）参照）が、その裏面側には、バッテリ格納部（図示しない）を塞ぐ蓋体１７（（ｂ）参照）が、それぞれ装着されている。
【００１１】
図２は、図１の表示器側筐体の分解構成図である。図２に示すように、表示器側筐体１１は、フロントケース（第１ケース）１８とリアケース（第２ケース）１９を重ね合わせた状態で結合して構成され、フロントケース１８とリアケース１９の間には、ＬＣＤユニット２０が挟み込まれる。
ＬＣＤユニット２０は、リアケース１９からフロントケース１８に向かって、即ち、図中、下から上へ順番に、サブＬＣＤ１５、ＬＣＤ用基板（回路基板）２２、フレーム（金属フレーム部材）２３、及びメインＬＣＤ１４を積み重ねた状態で一体に形成されている。サブＬＣＤ１５は、後述するサブＬＣＤホルダ（図５参照）に組み込まれた状態で装着される。また、フレーム２３は、マグネシウム（Ｍｇ）等の金属製部材により形成されている。
【００１２】
つまり、表示器側筐体１１の内部には、サブ液晶表示器１５、ＬＣＤ用基板２２、フレーム２３、及びメインＬＣＤ１４が積層状態で配置収納され、同時に、内部外周側に配置された、ＬＣＤ用基板２２に接続される各種接続部材も収納される。各種接続部材としては、ＬＣＤ用フレキシブルプリント配線板（Ｆｌｅｘｉｂｌｅ  Ｐｒｉｎｔｅｄ  Ｃｉｒｃｕｉｔ：ＦＰＣ）等の他、ＦＰＣコネクタやケーブルコネクタやケーブル等がある。
フロントケース１８の外面側には、メインＬＣＤ１４の外周部（表示窓）を形成するトリムプレート２４が装着され、トリムプレート２４のヒンジ部１３側端部には、カバー部材２５が取り付けられている。リアケース１９には、サブ液晶表示器１５に対応する縦長の表示窓１９ａが設けられており（図１参照）、この表示窓１９ａを介して、ケース外側からサブ液晶表示器１５を視認することができる。
【００１３】
図３は、ＬＣＤユニットを示し、（ａ）はメインＬＣＤ側から見た平面図、（ｂ）は（ａ）のＢ−Ｂ線に沿う断面図である。図４は、ＬＣＤユニットを示し、（ａ）はサブＬＣＤ側から見た平面図、（ｂ）は（ａ）のＢ−Ｂ線に沿う断面図である。図５は、サブＬＣＤホルダの平面図である。図６は、ＬＣＤユニットを示し、（ａ）はメインＬＣＤ側から見た斜視図、（ｂ）はサブＬＣＤ側から見た斜視図である。図７は、図６のＬＣＤユニットにおける断面構造を概略的に示し、（ａ）は図６（ｂ）の視点Ｘからの概略構成図、（ｂ）は図６（ｂ）の視点Ｙからの概略構成図である。
図３から図７に示すように、ＬＣＤユニット２０は、サブＬＣＤホルダ２６（図５参照）に装着されたサブＬＣＤ１５、ＬＣＤ用基板２２、フレーム２３、及びメインＬＣＤ１４を積層して平板状に形成されており、一方の面には、メインＬＣＤ１４の表示面が露出している（図３（ａ），図６（ａ）参照）。サブＬＣＤホルダ２６は、枠体状に形成されており、サブＬＣＤ１５が組み込まれる。
【００１４】
ＬＣＤユニット２０のメインＬＣＤ１４は、一端をメインＬＣＤ１４に接続したＬＣＤ用ＦＰＣ２７の他端を、ＬＣＤ用基板２２の上方に位置させて、ＬＣＤ用基板２２に備えたコネクタ２２ａに接続することにより、ＬＣＤ用基板２２と電気的に接続されている（図７（ａ），（ｂ）参照）。また、ＬＣＤユニット２０のサブＬＣＤ１５は、一端をサブＬＣＤ１５に接続したサブＬＣＤ用ＦＰＣ２８の他端を、ＬＣＤ用基板２２の上方に位置させて、ＬＣＤ用基板２２に備えたコネクタ２２ｂに接続することにより、ＬＣＤ用基板２２と電気的に接続されている（図７（ｂ）参照）。
【００１５】
また、図２に示すように、表示器側筐体１１は、矩形状筐体の外周部、即ち、対向する両長辺側の周縁縦壁部に、フロントケース１８とリアケース１９とを互いに結合する結合部位を有しており、結合部位は、フロントケース１８の凹部２９とリアケース１９の凸部３０を一対として構成されている。凹部２９と凸部３０は、それぞれ、各ケースの対向する各長辺側のケース長手方向に沿って離間する複数箇所、例えば、３箇所（凹部２９ａ，２９ｂ，２９ｃ、凸部３０ａ，３０ｂ，３０ｃ）に設けられている。
凹部２９は、フロントケース１８の周縁縦壁部に、筐体内部側に窪み外向きに開口してケース長手方向に延びる長溝状に形成されており、凸部３０は、リアケース１９の周縁縦壁部に、筐体内部側に突出して、凹部２９に嵌り込んで位置決め固定可能に、凹部２９に対応する横長状に形成されている。なお、フロントケース１８の周縁縦壁部に筐体外部側に突出して形成される凸部を設け、リアケース１９の周縁縦壁部に筐体外部側に窪んで凸部が嵌り込む凹部を形成しても良い。
【００１６】
図８は、表示器側筐体１１のサブ表示器側から見た平面図である。図９は、図８の表示器側筐体１１を示し、（ａ）は図８のＡ−Ａ線に沿う縦断面図、（ｂ）は図８のＢ−Ｂ線に沿う縦断面図である。図８及び図９に示すように、表示器側筐体１１は、フロントケース１８とリアケース１９とを互いに結合させる結合構造として、フロントケース１８とリアケース１９を重ね合わせた状態で、凹部２９と凸部３０が嵌合し係合した状態で結合される嵌合結合部を有する（図９（ａ）参照）。
この結合時、凹部２９と凸部３０が嵌合状態になることで、フロントケース１８とリアケース１９の結合部は、各ケースの端面同士の突き当てではなく、各ケースの端部が相互に重なり合うこととなる（図９（ａ），（ｂ）参照）。また、この嵌合結合部以外に、各ケースの端面同士の突き当てにより結合される突当結合部を有する（図９（ｂ）参照）。
【００１７】
そして、嵌合結合部を構成する複数の凹部２９と凸部３０の内、少なくとも、筐体内部の外周側に配置されるＬＣＤ用ＦＰＣ（接続部材）２７に対向して位置する凹部２９と凸部３０（第１結合部位、この例では、凹部２９ａと凸部３０ａ）は、両ケース１８，１９の結合状態で接触面（対向面）となる長さの結合沿面距離が、他の場所に位置する嵌合結合部の凹部２９と凸部３０や突当結合部（第２結合部位、この例では、凸部２９ｂ，２９ｃと凸部３０ｂ，３０ｃなど）の結合沿面距離よりも長く形成されている（図２参照）。
なお、嵌合結合部は、ＬＣＤ用ＦＰＣ２７などの接続部材に対向した結合部位に限らず、筐体外周の全周に設けても良く、また、形状も波形等のように複雑にしても良く、設置箇所数も必要な数を任意に設けても良い。
【００１８】
また、図９に示すように、筐体内でＬＣＤ用基板２２に対向して配置されたフレーム２３は、嵌合結合部（凹部２９ａ及び凸部３０ａ）とＬＣＤ用基板２２との間に位置する壁部２３ａを有している。この壁部２３ａは、矩形状に形成されたフレーム２３の対向する両長辺側に、ＬＣＤ用基板２２の配置高さを越えてサブ液晶用ＦＰＣ２８の上部近傍にかかる高さを有する縦壁状に形成されている。
このように、筐体強度を高めるためにフレーム２３を配置すると共に、凹部２９ａ及び凸部３０ａとＬＣＤ用基板２２との間にフレーム２３の一部である壁部２３ａを配置したので、喩え、凹部２９ａ及び凸部３０ａを介して静電気が進入したとしても、進入した静電気は、金属製部材からなるフレーム２３の壁部２３ａにより吸収することができる。
【００１９】
また、図９に示すように、凸部３０ａと共に結合部位Ａを構成する凹部２９ａは、ＬＣＤ用基板２２及び接続部材（ＬＣＤ用ＦＰＣ２７等）の筐体厚さ方向高さよりも高く形成されたリブ３１を有している。このように、結合部位Ａに接続部材よりも高いリブ３１を配置することで、接続部材への静電気の進入を更に抑制することができる。
図１０は、ＬＣＤ用ＦＰＣ２７に対向して位置する結合部位の形成状態を概念的に示すＬＣＤユニット２０のサブＬＣＤ１５側から見た平面説明図である。図１０に示すように、筐体内部の外周側に配置されるＬＣＤ用ＦＰＣ２７に対向して位置する結合部位Ａ、即ち、凹部２９ａと凸部３０ａ（第１結合部位）は、ＬＣＤ用ＦＰＣ２７が対向する筐体外周の全域に亘って配設されている。なお、図１０に示されるＡ´−Ａ´線は、図８のＡ−Ａ線に対応し、Ｂ´−Ｂ´線は図８のＢ−Ｂ線に対応している。
【００２０】
つまり、筐体外部との境界部分であるフロントケース１８及びリアケース１９の両周縁縦壁部に隣接して配置されたＬＣＤ用ＦＰＣ２７に対し、筐体内部に進入する静電気の悪影響を受けないように、ＬＣＤ用ＦＰＣ２７を十分に覆うことができる範囲に、凹部２９ａと凸部３０ａからなる嵌合結合部の結合部位Ａを形成している。
このように、両ケース１８，１９の重ね合わせ時の結合構造として、ＬＣＤ用ＦＰＣ２７やケーブルコネクタやケーブル等の各種接続部材が対向する結合部位（凹部２９ａと凸部３０ａ）の結合沿面距離が、他の結合部位よりも長く形成されるので、他の結合部位に比してこの結合部位から各種接続部材が配置された筐体内部に静電気が侵入し難くなる。
【００２１】
また、筐体内部側に突出する凸部３０と、凸部３０に嵌合する凹部２９とを結合させることにより、フロントケース１８とリアケース１９の結合を強固にすることができる。特に、ＬＣＤ用基板２２に接続される各種接続部材に対向する位置において、フロントケース１８とリアケース１９を強固に結合させるので、各種接続部材の位置決めを好適に行うことができる。
更に、凹部２９ａと凸部３０ａは、ＬＣＤ用ＦＰＣ２７が対向する領域全域に亘って形成されているので、静電気の接続部材への進入を好適に抑制することができる。つまり、結合部位Ａを構成する凹部２９ａと凸部３０ａは、各種接続部材等の静電気に弱い部品が配置された部分を覆う面積を有しており、この面積は、少なくとも筐体結合部分の一部、可能ならば全体の半分以上、望ましくは全域に亘って覆うことができるものとする。
【００２２】
上記実施の形態に示すように、筐体外部との境界部分であるフロントケース１８及びリアケース１９の、静電気の影響を受け易い部品であるＦＰＣやケーブルコネクタ等の接続部品に対向する結合部位Ａを、他の結合部位の沿面距離よりも長く形成する構成とした。これにより、当該部品が対向する結合部位Ａでの静電気の進入を他の結合部位に比べ抑制することができ、静電気の影響を受け易い部品への静電気の影響を、極力抑制することができる。
つまり、ケース嵌合部分を突き当てるのではなくケース外周に沿って上下に噛み合わせる構造にすることにより、回路基板やＬＣＤ等のデバイスに対する沿面距離を確保して、静電気を入り込み難くしつつ、加えて、静電気に弱いＬＣＤ用ＦＰＣ等の巻き込み部分は、嵌合構造の結合部位Ａに配置して、更に沿面距離を確保することで、静電気を飛び難くしている。
【００２３】
上述したように、フロントケースとリアケースを上下に重ねて噛み合わせることで沿面距離を確保しているため、筐体外周ぎりぎりまで、静電気に弱いＬＣＤや基板等の部品を配置することができる。また、沿面距離を確保できるので、避雷針を設けるような静電気対策を必要としない。なお、巻き込み部分等は、沿面距離を長くする全部にかかる方が望ましい。
なお、本発明は、上述した実施の形態により説明したが、この実施の形態に限定されるものではない。従って、本発明の趣旨を逸脱することなく変更態様として実施するものも含むものである。例えば、上述した実施形態では、第１結合部位としての嵌合結合部をＬＣＤ用ＦＰＣ２７の対向した部位に配置したが、これに限定されることなく、サブＬＣＤ用ＦＰＣ２８、表示器側筐体１１とキー側筐体１２とを電気的に接続する配線ケーブル（図示省略）、ＬＣＤ用基板２２に配設されたコネクタや電子部品などに対向した部位に嵌合結合部を配置するようにしてもよい。また、携帯電話機以外の携帯端末装置にも適用可能である。
【図面の簡単な説明】
【００２４】
【図１】この発明の一実施の形態に係る携帯端末装置の一例である携帯電話機の開状態を示し、（ａ）はメイン表示器側の斜視図、（ｂ）はサブ表示器側の斜視図である。
【図２】図１の表示器側筐体の分解構成図である。
【図３】ＬＣＤユニットを示し、（ａ）はメインＬＣＤ側から見た平面図、（ｂ）は（ａ）のＢ−Ｂ線に沿う断面図である。
【図４】ＬＣＤユニットを示し、（ａ）はサブＬＣＤ側から見た平面図、（ｂ）は（ａ）のＢ−Ｂ線に沿う断面図である。
【図５】サブＬＣＤホルダの平面図である。
【図６】ＬＣＤユニットを示し、（ａ）はメインＬＣＤ側から見た斜視図、（ｂ）はサブＬＣＤ側から見た斜視図である。
【図７】図６のＬＣＤユニットにおける断面構造を概略的に示し、（ａ）は図６（ｂ）の視点Ｘからの概略構成図、（ｂ）は図６（ｂ）の視点Ｙからの概略構成図である。
【図８】表示器側筐体のサブ表示器側から見た平面図である。
【図９】図８の表示器側筐体を示し、（ａ）は図８のＡ−Ａ線に沿う縦断面図、（ｂ）は図８のＢ−Ｂ線に沿う縦断面図である。
【図１０】ＬＣＤ用ＦＰＣに対向して位置する結合部位の形成状態を概念的に示すＬＣＤユニットのサブＬＣＤ側から見た平面説明図である。
【符号の説明】
【００２５】
１０  携帯電話機
１１  表示器側筐体
１２  キー側筐体
１３  ヒンジ部
１４  メインＬＣＤ
１５  サブ液晶表示器
１６  キー操作部
１７  蓋体
１８  フロントケース
１９  リアケース
１９ａ  サブ液晶表示器用窓
２０  ＬＣＤユニット
２２  ＬＣＤ用基板
２２ａ  コネクタ
２３  フレーム
２３ａ  壁部
２４  トリムプレート
２５  カバー部材
２６  サブＬＣＤホルダ
２７  ＬＣＤ用ＦＰＣ
２８  サブＬＣＤ用ＦＰＣ
２９，２９ａ，２９ｂ，２９ｃ  凹部
３０，３０ａ，３０ｂ，３０ｃ  凸部
３１  リブ
Ａ  結合部位
【図１】
2008182607.tif 000003
【図２】
2008182607.tif 000004
【図３】
2008182607.tif 000005
【図４】
2008182607.tif 000006
【図５】
2008182607.tif 000007
【図６】
2008182607.tif 000008
【図７】
2008182607.tif 000009
【図８】
2008182607.tif 000010
【図９】
2008182607.tif 000011
【図１０】
2008182607.tif 000012